(57)【特許請求の範囲】
【請求項１】
患者を寝かせたままで患者ベッドの左右何れか端部を持ち上げ、持上げに要した力Ｆ1を測定し、次いで患者を寝かせたままでマットレスを患者ベッドの幅方向に水平移動させた後、患者を寝かせたままで患者ベッドの同じ側を持ち上げ、持上げに要した力Ｆ2を測定し、次式に従って患者体重ｆ4を算出することを特徴とする患者体重の測定方法。
ｆ4＝ΔＦ×Ｌ2／ΔＬ−ｆ3
ただし、ΔＦ：患者ベッドの持上げに要した力Ｆ1，Ｆ2の差（Ｆ2−Ｆ1）
Ｌ2：マットレスの幅
ΔＬ：マットレスの水平移動距離
ｆ3：マットレス及びその移動機構の合計重量
【請求項２】
マットレスを患者ベッドの幅方向に水平移動させるスライド移動板が組み込まれており、左端及び右端にマットレスを移動させたときの患者ベッドの片側を持ち上げたときに要した力の差から患者体重が測定されることを特徴とする体重測定用患者ベッド。
【発明の詳細な説明】
【０００１】
【産業上の利用分野】
本発明は、寝たままの患者に負担をかけることなく体重測定を可能にした方法及び装置に関する。
【０００２】
【従来の技術】
重症患者に対する医療技術の進歩は目覚しく、それに伴って集中治療室では循環呼吸管理に必要な最新鋭機器が数多く使用され、リアルタイムな測定結果に基づいた治療が施されるようになってきている。測定結果としては、血圧，心拍数，体温ばかりでなく、血液酸素飽和度，心拍出量までが逐一表示されている。なかでも、水分バランスの自己調整能が低く安全域も狭い心不全，腎不全等の患者にあっては、細心の観察，診断で現在の体内水分の過不足が評価され，今後の治療方針が決定される。
【０００３】
これらの技術を駆使して治療方針が決定されるが，最も重要な決定事項は水分投与量である。投与した水分量，尿等の排泄水分量は１ｍｌ単位で計算され、水分バランス評価の基礎データとして使用される。目に見える水分は比較的簡単に計算できるものの、呼吸中の水分，汗，不感蒸泄等で失われる目に見えない水分量の把握は事実上困難である。その結果，計算された水分バランスの精度が高くない。
【０００４】
【発明が解決しようとする課題】
ところで、水分バランスの推定に最も簡便で信頼できる情報は体重であり、急性期における体重変化は体内水分量を表す重要な指標として使用される。しかし、集中治療室内では、薬液投与用等に種々の管が接続されている患者を移動させることが困難なため、体重測定が実施されることは非常に少ない。
【０００５】
ベッドの足４本それぞれの下に４つの体重計を配置して体重測定する方法も知られているが、ＣＴ検査や手術室への移動に際してベッドに患者を乗せたままで体重計を配置又は撤去することが困難であることから実用的なものとはいえない。患者の背部にシートを敷き、シートの四隅をハンモック状に引き上げて体重測定する機器もあるが、患者を持ち上げてシートを敷く作業は重労働であり、患者が危険な事態に陥ることもある。このようなことから、患者を全く移動させることなく、簡便に体重測定できるベッドの開発が望まれている。
【０００６】
【課題を解決するための手段】
本発明は、このような要求に応えるべく案出されたものであり、マットレスを水平移動させる前後で患者ベッドを持ち上げるのに要した力の差を利用し、患者を移動させる必要なく体重測定を可能にすることを目的とする。
【０００７】
本発明の体重測定方法は、その目的を達成するため、患者を寝かせたままで患者ベッドの左右何れか端部を持ち上げ、持上げに要した力Ｆ1を測定し、次いで患者を寝かせたままでマットレスを患者ベッドの幅方向に水平移動させた後、患者を寝かせたままで患者ベッドの同じ側を持ち上げ、持上げに要した力Ｆ2を測定し、次式に従って患者体重ｆ4を算出することを特徴とする。
【０００８】
ｆ4＝ΔＦ×Ｌ2／ΔＬ−ｆ3
ただし、ΔＦ：患者ベッドの持上げに要した力Ｆ1，Ｆ2の差（Ｆ2−Ｆ1）
Ｌ2：マットレスの幅
ΔＬ：マットレスの水平移動距離
ｆ3：マットレス及びその移動機構の合計重量
この体重測定に使用される患者ベッドは、マットレスを患者ベッドの幅方向に水平移動させるスライド移動板が組み込まれている。
【０００９】
【実施の形態】
本発明では、たとえば図１に示すように患者ベッド１にスライド移動板２を組み込んでいる。スライド移動板２は、患者ベッド１の幅方向に内蔵されたラックギア３に歯車４を介して噛み合うラックギア５が下面に固着されている。クランク６の操作で歯車４を回転させると、患者ベッド１の幅方向にスライド移動板２が水平移動する。スライド移動板２の移動距離は、その上に重ねたマットレスが患者が寝たままで水平方向に３０ｃｍ程度移動できるように設定される。
【００１０】
患者の体重は、マットレス移動前後で患者ベッド１の右端又は左端を持ち上げ、そのときに要した力から次のように求められる。
先ず、患者を寝かせたままでマットレスを左端に移動させ、患者ベッド１の右端を持ち上げる。患者重量及びスライド移動板２，マットレスの重量（以下、移動体重量という）をｆ1，移動体重量ｆ1を除く患者ベッド１の重量をｆ2，患者ベッド１の左端（支点Ｐ）から患者重心までの距離Ｌ1，患者ベッド１の幅（支点Ｐから右端までの距離）をＬ2とするとき、患者ベッド１の持上げに要する力Ｆ1と移動体重量ｆ1及び患者ベッド１の重量ｆ2との間に次式（１）の関係が成立している（図２ａ）。
Ｆ1×Ｌ2＝ｆ1×Ｌ1＋ｆ2×Ｌ2／２          ・・・・（１）
【００１１】
次いで、患者を寝かせたままでマットレス全体を右方向に移動させた後、患者ベッド１の右端を同様に持ち上げる。このときの持上げに要する力Ｆ2は、マットレスの移動距離ΔＬとするとき、移動体重量ｆ1及び患者ベッド１の重量ｆ2との間に次式（２）の関係が成立している（図２ｂ）。
Ｆ2×Ｌ2＝ｆ1×（Ｌ1＋ΔＬ）＋ｆ2×Ｌ2／２          ・・・・（２）
【００１２】
式（２）から式（１）を引くと、次式（３）が求められる。
（Ｆ2−Ｆ1）×Ｌ2＝ｆ1×ΔＬ      ・・・・（３）
すなわち、マットレスが右端にあるときに患者ベッド１の持上げに要した力Ｆ2とマットが左端にあるときに患者ベッド１の持上げに要した力Ｆ2との差ΔＦは、移動体重量ｆ1とマットレスの移動距離ΔＬとの積として得られる。
【００１３】
式（３）は、次のように書き換えられる。
ｆ1＝ΔＦ×Ｌ2／ΔＬ      ・・・・（４）
移動体重量ｆ1は、患者，マットレス及びスライド移動板２の合計重量である。このうち、マットレス及びスライド移動板２は、当該患者ベッド１に関しては固定された値である。したがって、式（４）で計算された移動体重量ｆ1からマットレス及びスライド移動板２の合計重量ｆ3を引くと、患者重量ｆ4が求められる（式５）。
ｆ4＝ｆ1−ｆ3      ・・・・（５）
【００１４】
この方法によるとき、マットレス上で患者を移動させる必要なく、患者を寝かせたままでマットレスを水平移動し、移動前後で患者ベッド１の持上げに要する力Ｆ1，Ｆ2を測定することによって患者重量ｆ4を知ることができる。そのため、患者に加わる負担が大幅に軽減される。しかも、患者ベッド１が持ち上げられる瞬間の重量測定で力Ｆ1，Ｆ2が得られるため、体重測定が容易になる。この点、通常の重量測定では重量と同じ力で患者及びマットレスを高く持ち上げることを要するため、大掛かりなリフトを患者ベッド１の周辺に配置する必要があるばかりか、患者体重を測定しようとする人にとっても大きな負担になる。
【００１５】
【発明の効果】
以上に説明したように、本発明においては、患者を寝かせたままでマットレスを患者ベッドの幅方向に水平移動させ、移動前後で患者ベッドの持上げに要した力の差から患者の体重を測定している。この方式によるとき、患者を移動させる必要なく寝かせたままで体重測定できるため、患者にかかる負担が大幅に軽減される。体重測定者にとっても、患者ベッドを僅かな高さまで持げ上る瞬間の重量測定で済むため作業負担が軽くなる。
【図面の簡単な説明】
【図１】  マットレスを水平移動可能にした患者ベッド
【図２】  本発明に従った体重測定を説明するための原理図
【符号の説明】
１：患者ベッド    ２：スライド移動板    ３，５：ラックギア    ４：歯車
６：クランク
ｆ1：移動体重量    ｆ2：患者ベッドの重量
Ｌ1：支点Ｐから患者重心までの距離    Ｌ2：患者ベッドの幅    ΔＬ：マットレスの移動距離
Ｆ1：マットレスが左端にあるとき患者ベッド１の持上げに要する力
Ｆ2：マットレスが右端にあるとき患者ベッド１の持上げに要する力
【図１】
0003670202.tif 000002
【図２】
0003670202.tif 000003